(57)【要約】      （修正有）【課題】堅牢で、耐久性があり、構造が簡単で、安価で衛生的な浄水円筒フィルター保持具を提供する。【解決手段】半径方向の流入口を有する排出口金１の一端に、容器取り付けネジを、他端に、ネジ付保持心棒を有する排出口金心棒と、フィルター２０の両側面を挟み付ける二枚の皿状受け円板２，３と、締め付けネジ６とよりなる。【選択図】図３
0003168076.tif 000002
【実用新案登録請求の範囲】
【請求項１】
水道浄水器の円筒フィルター２０の保持具に於いて、半径方向の流入口１−１を有する、排出口金１の一端には、容器取り付けネジ１−２を設け、他端には、ネジ付保持心棒１−３を有する排出口金心棒と、フィルター２０の両側面を挟み付ける二枚の皿状受け円板２，３と、締め付けネジとよりなる浄水円筒フィルター保持具
【考案の詳細な説明】
【技術分野】
【０００１】本考案は、水道の浄水器に取り付ける浄水円筒フィルター保持具に関するものである。
【背景技術】
【０００２】浄水器には、活性炭フィルターで、水道水の残留塩素の除去、脱臭する浄水器がある。
また、精密ろ過膜で水道管、タンクの劣化などによる不純物を除去する浄水器がある。
これら、ろ過する円筒フィルター２０を、浄水円筒保持具に取り付けた浄水円筒フィルターユニットを、浄水容器の内部に取り付ける。この浄水円筒フィルター保持具に関するものである。
円筒フィルター２０は、ろ過していると、劣化するので浄水円筒フィルターユニットを、浄水容器より取り出し、円筒フィルター２０を交換し、再度、浄水容器に取り付ける必要がある。水道水を処理するので、堅牢で、耐久性があり、軽量で安価で、かつ、衛生的であることが求められる。
【考案の開示】
【考案が解決しようとする課題】
【０００３】円筒フィルター２０は、長さ２５０ミリで、浄水円筒フィルター保持具に取り付け、浄水容器にねじ込む時、プラスチック製では、ネジ部がまがって、ねじ込まれ、ネジ部のねじ山が傷み、使用できなくなる難点があった。そこで、堅牢で、耐久性があり、構造簡単で、安価で、衛生的な浄水円筒フィルター保持具が望まれる。
【考案が解決するための手段】
【０００４】本考案は、半径方向の流入口１−１を有する、排出口金１の一端には、浄水容器取り付けネジ１−２を設け、他端には、ネジ付保持心棒１−３を設けた排出口金心棒と、円筒フィルター２０の両側面をネジで挟み付ける、二枚の皿状受け円板２，３とよりなる浄水円筒フィルター保持具を構成した。
【考案の効果】
【０００５】１：堅牢で衛生的なステンレス製で構成されている。
２：プラスチック製に比し、円筒フィルター２０交換時、浄水容器取り付けネジ部１−２    が傷まない。
３：水道水を処理するので、耐久性があり、安心感がもてる。
４：皿状受け円板２，３は金属板をプレス加工されていて、堅牢、軽量で安価である。
【考案を実施するための最良の形態】
【０００６】排出口金心棒に、円筒フィルター２０を差し込み、皿状受け円板３を押し当て、Ｏリング４、座金５を介し、蝶ネジ６で締め付け固定する。この浄水円筒フィルター保持具に保持された浄水円筒フィルターユニットを浄水器上蓋２１にＯリング１０を介し、ネジ止め固定する
【実施例】
【０００７】    本考案、浄水円筒フィルター保持具の実施例について、図面により説明する。
（図１）は本考案、浄水円筒フィルター保持具に円筒フィルター２０をセットした、浄水円筒フィルターユニットを取り付けた、浄水器の使用状態を示す見取り図である。
水道水が、該浄水器を流れる時、例えば、内部に活性炭フィルターをセットすれば、水道水の残留塩素を除去し、脱臭することができる。また、精密ろ過膜をセットすれば、水道管、タンクの劣化などによる不純物を除去することができる。
流し台３０に浄水器２１，２２が設置され、水道蛇口２６から、ホース２５、導管２４で連結され、水道水が流し込まれる。円筒フィルター２０でろ過され、浄水管２３より浄水として採取される。
（図２）は、市販の円筒フィルター２０の見取り図を示す。市販の活性炭フィルターは、外形６０ミリ、内径３０ミリ、長さ２５０ミリのものがある。両側面２０−１はシリコンゴムで構成され、機密に保持される。
（図３）は、本考案、浄水円筒フィルター保持具を用いた、浄水器の断面図を示す。水道水は、矢印の方向に流れ、円筒フィルター２０の外周より内部に流入するとき、ろ過され、排水口金１、浄水排出口２１−１より、浄水として採取される。２１は浄水器上蓋、２１−１は浄水排出口、２１−２は水道流入口、２２は浄水容器、２７は密閉Ｏリング、２８は締め付けバンドである。
（図４）は、本考案、浄水円筒フィルター保持具に円筒フィルター２０をセットした浄水円筒フィルターユニットの断面図を示す。排出口金心棒に、円筒フィルター２０を挿入し、皿状受け円板Ｄを当てつけ、Ｏリング４、座金５を介し、蝶ネジ６でねじ込み、密閉保持されている
（図５）は、本考案、浄水円筒フィルター保持具の排出口金心棒部の断面図を示す。
１−１は流入口、１−２は浄水容器取り付けネジを設けた排水口金１に（図６）に示す皿状受け円板Ｃが溶接されている。また、１−３のネジ付保持心棒が固定されている。
（図６）（Ａ）は皿状受け円板Ｃの断面図、２−１は円筒フィルター２０の受けリングが溶接されている。（Ｂ）はその側面図を示す。１ミリのステンレス板でプレス加工されている。
（図７）（Ａ）は、皿状受け円板Ｄの断面図、（Ｂ）はその側面図を示す。
（図８）は、本考案の他の実施例の浄水円筒フィルター保持具に、円筒フィルター２０をセットした、他の浄水円筒フィルターユニットの断面図を示す。排出口金心棒に、皿状受け円板Ｅ、円筒フィルター２０を挿入し、皿状受け円板Ｆを当てつけ、Ｏリング４、座金５を介し、蝶ネジ６でねじ込み、密閉保持されている
（図９）は、本考案の他の実施例の、浄水円筒フィルター保持具の排出口金心棒部の断面図を示す。７−１は流入口、７−２は浄水容器取り付けネジを設けた排水口金７で、７−３のネジ付保持心棒が固定されている。Ｏリング１１、皿状受け円板Ｅ、円筒フィルター２０、皿状受け円板Ｆ、Ｏリング４、座金５の順に挿入し蝶ネジ６でネジ止めされる。
（図１０）（Ａ）は、皿状受け円板Ｅの断面図、（Ｂ）はその側面図を示す。１ミリのステンレス板でプレス加工されている、
（図１１）（Ａ）は、皿状受け円板Ｆの断面図、（Ｂ）はその側面図を示す。
【図面の簡単な説明】
【０００８】
【図１】浄水器２１、２２を、流し台３０に設置し、水道蛇口２６にホース２５，導管２４で連結した時の見取図
【図２】市販の円筒フィルター２０の見取図
【図３】本考案の浄水円筒フィルター保持具に、円筒フィルター２０を取り付けた浄水円筒フィルターユニットを、浄水容器２１，２２にＯリング１０を介し、ネジ止めした時の断面図。
【図４】本考案の浄水円筒フィルター保持具に、円筒フィルター２０を取り付けた、浄水円筒フィルターユニットの断面図。
【図５】本考案の浄水円筒フィルター保持具の排出口金心棒の断面図。
【図６】（Ａ）は、皿状受け皿Ｃである２の断面図。（Ｂ）は（図６）（Ａ）の側面図。
【図７】（Ａ）は、皿状受け皿Ｄである３の断面図。（Ｂ）は（図７）（Ａ）の側面図。
【図８】本考案の他の実施例の浄水円筒フィルター保持具に円筒フィルター２０を取り付けた、浄水円筒フィルターユニットの断面図。
【図９】本考案の他の実施例の浄水円筒フィルター保持具の排出口金心棒の断面図。
【図１０】（Ａ）皿状受け皿Ｅである８の断面図。（Ｂ）は（図１０）（Ａ）の側面図。
【図１１】（Ａ）皿状受け皿Ｆである９の断面図。（Ｂ）は（図１１）（Ａ）の側面図。
【符号の説明】
【０００９】  １  排出口金心棒                                  ２  皿状受け円板Ｃ
３  皿状受け円板Ｄ                                ４  Ｏリング
５  座金                                          ６  蝶ネジ
７  排出口金心棒                                  ８  皿状受け円板ＥＣ
９  皿状受け円板Ｆ                              １０  Ｏリング
１１  Ｏリング
２０  円筒フィルター                              ２１  浄水器上蓋
２２  浄水容器                                    ２３  浄水管
２４  導管                                        ２５  ホース
２６  水道蛇口                                    ３０  流し台
【図１】
0003168076.tif 000003
【図２】
0003168076.tif 000004
【図３】
0003168076.tif 000005
【図４】
0003168076.tif 000006
【図５】
0003168076.tif 000007
【図６】
0003168076.tif 000008
【図７】
0003168076.tif 000009
【図８】
0003168076.tif 000010
【図９】
0003168076.tif 000011
【図１０】
0003168076.tif 000012
【図１１】
0003168076.tif 000013